(57)【要約】【課題】本発明は本体機器底面部に設けられた循環ファン吸気口に金属を含む複数の材料で構成された不純物成分の透過率を抑えた汚れ防止フィルター構造を有するレンジフード付き高周波加熱装置に関するもので、吸気風に含まれる不純物成分を取り除くことで本体機器内部の電気部品や構造部品の品質性能改善を実現すること。【解決手段】本体機器底面部に金属を含む複数の材料で構成された不純物成分の透過率を抑えた汚れ防止フィルター構造を備え、吸気風に含まれる不純物成分を取り除くことにより、本体機器内部の電気部品や構造部品への油や水分の付着を抑えることができるので、安全性や品質向上が実現できる。【選択図】図２
2005273935.tif 000002
【特許請求の範囲】
【請求項１】
レンジフード付き高周波加熱装置において、下方に設置された調理機器から発生する生成ガスを換気する循環ファンと、前記生成ガスを循環ファンによって吸気または排気するための開口部と、被加熱物を収納する加熱室と、被加熱物を加熱する加熱手段と、前記加熱手段を冷却する冷却手段とを備え、本体機器底面に前記生成ガスを吸気する吸気用開口部に、汚れを除去する汚れ防止フィルタを設け、前記汚れ防止フィルタは金属製材料と不純物の透過率を大幅に抑えることが可能な目の細かい形状を有する非金属製材料で構成したレンジフード付き高周波加熱装置。
【請求項２】
前記本体機器底面部に備えられた吸気開口部の汚れを除去する汚れ防止フィルタの非金属製材料に脱臭機能を有する成分を配する構成としたレンジフード付き高周波加熱装置。
【請求項３】
前記加熱手段は、循環ファンモーターに温度検知手段を備えた構成とした請求項１に記載のレンジフード付き高周波加熱装置。
【請求項４】
本体機器の動作を制御するマイコン制御部と、本体機器の動作を表示する表示部を備え、前記温度検知手段動作時、本体機器表示部にフィルター掃除や交換の必要性を使用者に伝える表示をする構成とした請求項１または２に記載のレンジフード付き高周波加熱装置。
【発明の詳細な説明】
【技術分野】
【０００１】
本発明は、機器本体の下方に設置された他の加熱調理装置から発生する生成ガスを室内循環もしくは戸外に排出する機能を有し、前記生成ガスを機器本体下方に備えた吸気口から吸気する際、金属材料以外に不純物の透過率を大幅に抑えた目の細かい形状を有する非金属製材料で構成した汚れ防止フィルタを配することで生成ガスに含まれる不純物成分を効果的に除去する構成のレンジフード付き高周波加熱装置に関するものである。
【背景技術】
【０００２】
従来、レンジフード付高周波加熱装置は本体下方部に設置された調理機器から発生した生成ガスを備えられた循環ファン動作によって本体底面部から吸い込み本体前面上部の排気口から室内循環したり、循環ファンの排気方向を容易に変更可能な構造を有することで吸い込んだ生成ガスを本体上部や後方から排出する構成を配している（たとえば、特許文献１参照）。
【０００３】
このとき吸気口に備えたフィルターは生成ガスの汚れの成分を取り除く目的で本体機器下方部に配し、また下方調理機器から発生した炎による燃焼を避けるため金属材料のＭｅｓｈ形状で構成されることでほこりやちりの侵入を防ぐことができる。
【０００４】
たとえば、その吸気口フィルターは本体機器底面部に配しアルミ材料のみで構成され薄くちりばめられたＭｅｓｈ形状のフィルター層を金属の外枠フレームで保持した構造のものが主流であった。
【０００５】
また排気風を室内循環する場合、排気風を脱臭する目的で本体機器上部前面に配する排気口内側付近に脱臭効果を有する材料を備えたフィルターを別途設ける構造が主流であった。
【０００６】
図２は、吸気口フィルターを本体機器に実装したときの構成を示すものである。
吸気口フィルター１と、吸気開口部１２と、循環ファンモーター１１と、加熱室１８と、加熱手段１９と、温度感知手段１５と、マイコン制御部２３と、機器本体表示部２４と、排気開口部６とから構成される。
【特許文献１】米国特許第５９８１９２９号明細書
【発明の開示】
【発明が解決しようとする課題】
【０００７】
しかしながら前記従来の構成では本体機器底面部に設けられた吸気口フィルターは金属材料のみで構成されているためＭｅｓｈ状のフィルターの目が粗く、生成ガスに含まれる油分や蒸気の微粒子が透過しやすい形状であった。生成ガスに含まれる多量の油分や水分が金属材料で構成されるフィルターを容易に通過し機器内部に備えられた循環ファンモーターや他の電気部品表面に付着し、絶縁性劣化を引き起こすことで安全性の問題や部品故障の要因となる課題があった。
【０００８】
例えば循環ファンモーターは自身が吸い込む吸気風で自己冷却を行う構成であるが、多量の油分や水分を含む生成ガスにさらされないように仕切りを設ければ冷却性能が確保できなくなるため、モーターは生成ガスの通路に配置されるという構造上の問題があった。
【０００９】
本発明は、前記従来の課題を解決するもので、簡単な構成で安全性や品質確保の実現が可能となり、安全で高品質なレンジフード付き高周波加熱装置を提供することを目的とする。
【課題を解決するための手段】
【００１０】
前記従来の課題を解決するために、本発明の本体機器底面部吸気口に設置される汚れ防止フィルターは、不純物の透過率を大幅に抑えることが可能な目の細かい構成の非金属材料を有し、フィルター表面を構成する金属材料や非金属性のフィルター構造部分を含めて熱伝導率や熱保持率の異なる複数の異なる材料でフィルターが構成されることで、生成ガスに含まれる油分や蒸気成分を除去し、水蒸気や油の機器本体内部への侵入を抑えることで電気部品の絶縁性能向上や、部品品質の向上が可能となる。
【００１１】
また汚れ防止フィルターが不純物によって根詰まりした時、吸気風量減少に伴って循環ファンモーターの回転数が過多になりモーターが過熱しやすい状況となるがその異常温度上昇をモーター表面に配した温度検知手段が検知し本体表示部に異常表示することで使用者にフィルター交換のタイミングを知らせ、部品破壊を未然に防ぐことや製品品質を大幅に向上させることが可能となるものである。
【発明の効果】
【００１２】
本発明によれば、簡単な構成で製品の安全性が大幅に向上し、製品品質の優れたレンジフード付高周波加熱装置が実現できる。
【発明を実施するための最良の形態】
【００１３】
第１の発明は、下方に設置された調理機器から発生する生成ガスを換気する循環ファンと、前記生成ガスを循環ファンによって吸気または排気するための開口部と、被加熱物を収納する加熱室と、前記被加熱物を加熱する加熱手段と、機器底面部に設けられた吸気開口部に非金属材料で不純物の透過率を大幅に抑えることが可能な形状を有し複数の異なる材料から構成される手段を備え、下方調理機器から発生した油や蒸気を含んだ生成ガスは循環ファンによって汚れ防止フィルターを通過する際不純物成分が取り除かれることで純度の高い吸気風を機器内部に取り込むことが可能となり、本体機器内部を構成する電気部品の絶縁性能が劣化することが防止できる。
【００１４】
この汚れ防止フィルターを構成する非金属材料はその材料特性から金属材料と比べ熱保持率や熱伝導率が小さいために、下方調理器からの熱の影響を受けにくく金属材料より表面温度を低く保つことができる。
【００１５】
一方、生成ガスの粒子状の不純物成分は高温であり表面温度の低い物質に接着される性質を利用して高温の生成ガスに含まれる油分や水分は非金属で目の細かい汚れ防止フィルター部分に効率的に吸着される。
【００１６】
これによって生成ガスの不純物成分が取り除かれ、不純物成分の透過率を大幅に抑えて純度の高い循環ファンモーターの冷却風を実現することができるものである。
【００１７】
第２の発明は、機器底面部の吸気開口部に脱臭機能を有する成分を配する構成とすることで生成ガスを室内循環する際、本体機器上部に位置する排気口側に新たに別のフィルターを装着することなく汚れ防止フィルターのみで脱臭機能を果たすことが可能となり、簡単な構成で製品構造の簡素化や大幅なコスト削減が実現できる。
【００１８】
第３の発明は、循環ファンモーターに温度検知手段を備えることで汚れ防止フィルターが根詰まりを起こした際、吸気風量減少に伴って上昇するモーターの回転数によってモーターが過熱してもモーター表面に備えた温度検知手段がその異常温度を検知し、モーター動作を停止することでモーターの部品破壊を未然に防ぐことが可能となり、部品品質の大幅な向上が実現できる。
【００１９】
第４の発明は、汚れ防止フィルターが根詰まりを起こした際、温度検知手段の動作に伴って停止する循環ファンモーターの情報を機器本体表示部に”ＣＬＥＡＮ  ＦＩＬＴＥＲＳ”とか”ＲＥＰＬＡＣＥ  ＦＩＬＴＥＲＳ”とか“Ｆ０１”（あらかじめ設定した故障モード番号）などの表示を行い使用者に異常を知らせることでモーターの部品故障を未然に防ぐことができ、部品品質の保証が実現できる。
【００２０】
（実施の形態１）
図１は、本発明の実施形態における本体機器底面部に汚れ防止フィルターを備えたレンジフード付高周波加熱装置の設置状態の図を示すものである。
【００２１】
図２は、本発明の実施形態における本体機器底面部に汚れ防止フィルターを備えたレンジフード付高周波加熱装置の内部構造を示す図である。
【００２２】
図３は、本発明の実施形態における不純物の透過率を大幅に抑えることが可能な複数の材料で構成される汚れ防止フィルターの構造を従来例との比較において示す図である。
【００２３】
図４は、本発明の実施形態における本体機器底面部の汚れ防止フィルター異常時の異常温度検知による本体機器表示部の表示例を示す図である。
【００２４】
図１において、下方調理機器１３から発生した生成ガス１４は循環ファン１１動作によって機器底面部の汚れ防止フィルター１２を通過し本体機器内部を通過して機器上面部の排気口６から排出される構成となっている。
【００２５】
以上のように本体機器底面部に配置された汚れ防止フィルター１を有するレンジフード付高周波加熱装置について、以下にその動作、作用を説明する。  
【００２６】
まず、本実施の形態において図２に示すように、機器底面部に設けられた吸気開口部１２に不純物の透過率を大幅に抑えることが可能な非金属製材料で構成された内部層の部分と外観表面部の金属部分を組合せた複数の異なる材料から構成されるフィルター１を備えることで、下方調理機器１３から発生した油や蒸気を含んだ生成ガス１４は循環ファン１１動作によって本体機器底面部の汚れ防止フィルター１を通過する際その不純物成分が取り除かれることで純度の高い吸気風を本体機器内部に取り込むことが可能となり、本体機器内部を構成する電気部品の絶縁性能劣化を防止することができる。
【００２７】
また、図３において、汚れ防止フィルター１を構成する非金属材料３３はその材料特性から外枠に使用する金属材料３１，３２と比べて熱保持率や熱伝導率が低く、下方調理器１３からの熱に対し金属材料に比べて表面温度を低く保つことができる。
【００２８】
一方、生成ガス１４の粒子状の不純物成分は高温であり表面温度の低い物質に接着する性質を利用し、非金属材料で作られた目の細かいフィルター層３３が高温の生成ガスの不純物成分を吸着することで不純物成分の透過率を大幅に抑えることが実現できるものである。
【００２９】
更に汚れ防止フィルターを構成する金属と非金属部分の層は使用者の手に触れやすい外観部分に強度や耐久性を考慮し金属材料で作られた層を有し、非金属材料で作られた層をその内側に配する構成が望ましい。
【００３０】
また、汚れ防止フィルター１に脱臭機能を有する成分を金属材料の内側に付加することで機器本体内部に吸い込まれる際に脱臭を行うことが可能となり、更に本体上部の排気口付近に別の脱臭用フィルターを有することなく本体機器底面部に備えた汚れ防止フィルター１だけで脱臭効果をもたらすことが実現できるものである。
【００３１】
（実施の形態２）
図２は、本発明の実施の形態における循環ファンモーターに温度検知手段を備えた構造を示すものである。
【００３２】
また、図２においてレンジフード付高周波加熱装置は底面部吸気口に設置される汚れ防止フィルター１は、金属材料で構成した外郭表面の内側に不純物の透過率を大幅に抑えることが可能な目の細かい構成の非金属材料を有し、循環ファンモーターの表面に自己発熱を感知する手段８と本体機器表示部１４を配した構成である。
【００３３】
以上のように構成されたレンジフード付高周波加熱装置について、以下にその動作、作用を説明する。
【００３４】
まず図１において下方に設置された調理機器１３から発生した生成ガス１４は循環ファン１１の吸い込み動作によって機器底面部の汚れ防止フィルター１を通過し排気口６から室内に循環される。
【００３５】
一方、吸気口に設けられた汚れ防止フィルター１は生成ガス１４に含まれる不純物成分を吸着するためその使用頻度に応じて根詰まりを起こすことを防止するため定期的に掃除や交換を必要とするがこれを怠ると吸気風は汚れ防止フィルター１を通過しにくくなり、吸気風量が減少することで循環ファンモーター１１の回転数が増加しモーター１１の仕事量が増加し、やがて過熱による部品故障に至る。
【００３６】
本発明の循環ファンモーター１１表面に取り付けた温度検知手段８は汚れ防止フィルター１が根詰まりした際においても異常温度上昇を検知し循環ファンモーター１１動作を停止させることで過熱による故障を未然に防ぐことを可能にし、部品品質を大幅に向上することが実現できる。
【００３７】
また、循環ファン１１動作中に温度検知手段８が動作した時、その動作をマイコン制御部２３が読取り本体機器表示部２４に”ＣＬＥＡＮ  ＦＩＬＴＥＲＳ”とか”ＲＥＰＬＡＣＥ  ＦＩＬＴＥＲＳ”とか“Ｆ０１”（あらかじめ設定した故障モード番号）などの表示を行い使用者に異常個所を容易に知らせることが可能となり、定期的な交換が必要な吸気口フィルター８の交換時期が遅れた際にでも部品故障に至る前にその必要性を使用者に促すことができ、製品品質のみならず顧客満足度を大幅に高めることが実現できる。
【産業上の利用可能性】
【００３８】
以上のように、本発明にかかるレンジフード付高周波加熱装置は、簡単な構成で本体機器内部を通過する吸気風の不純物成分を取り除くことを可能にし、安全性や製品品質の向上が可能となるので換気風を機器内部に取り込む構成等の用途にも適用できる。
【図面の簡単な説明】
【００３９】
【図１】本発明の実施形態における底面部に汚れ防止フィルターを備えたレンジフード付高周波加熱装置の設置状態を示す図
【図２】本発明の実施形態における底面部汚れ防止フィルターを備えたレンジフード付高周波加熱装置の内部構造を示す図
【図３】本発明の本体機器底面部設置のフィルター構成を従来例との比較において示す図
【図４】本体機器底面部設置の汚れ防止フィルター根詰まりの際、フィルターの異常を知らせる表示を示す図
【符号の説明】
【００４０】
１  汚れ防止フィルター
７  排気風
１１  循環ファンモーター
１２  底面部吸気口
１３  下方調理機器
１４  調理生成ガス
１５  温度感知手段
１８  加熱室
１９  加熱手段
２３  マイコン制御部
２４  機器本体表示部
２５  冷却手段
【図１】
2005273935.tif 000003
【図２】
2005273935.tif 000004
【図３】
2005273935.tif 000005
【図４】
2005273935.tif 000006